(57)【要約】【課題】電動ファンにより空気を吸い込み消臭フィルタを通過させて排気する強制吸気型脱臭装置の排気口に接続することにより当該脱臭装置からの騒音を大幅に減少させることができる簡易設置型消音装置を提供する。【解決手段】吸気口２１ａ、２１ｂと排気口２１ｃ、２１ｄとを有する筐体２１と、筐体２１の内面を覆う吸音材２２と、強制吸気型脱臭装置から排気され吸気口２１ａ、２１ｂから筐体２１内に流入する空気をその外周面２３ａに衝突させるべく吸気口２１ａ、２１ｂの直下流に設けられた円柱状の吸音体２３Ａ、２３Ｂ、２４と、排気口２１ｃ、２１ｄに設けられた消臭フィルタ２５と、を有する。吸音体２３Ａ、２３Ｂ、２４は、パンチングメタル又は金網からなる円筒状の側壁と、当該側壁の内面を覆う吸音材と、当該側壁の上下両端を閉塞する金属製の端板と、を有する。【選択図】図１３
2010022635.tif 000002
【特許請求の範囲】
【請求項１】
電動ファンにより空気を吸い込み消臭フィルタを通過させて排気する簡易設置型脱臭装置の排気口に接続される簡易設置型消音装置であって、
吸気口と排気口とを有する筐体と、
当該筐体の内面を覆う吸音材と、
前記簡易設置型脱臭装置から排気され当該吸気口から当該筐体内に流入する空気をその外周面に衝突させるべく当該吸気口の直下流に設けられた円柱状の吸音体と、
当該排気口に設けられた消臭フィルタと、を有し、
前記吸音体は、
パンチングメタル又は金網からなる円筒状の側壁と、
当該側壁の内面を覆う吸音材と、
当該側壁の上下両端を閉塞する金属製の端板と、を有する、簡易設置型消音装置。
【請求項２】
前記簡易設置型脱臭装置の筐体と前記簡易設置型消音装置の筐体は、互いに略同寸の略立方体形状の筐体である、請求項１の簡易設置型消音装置。
【請求項３】
その筐体の同一側面に複数の吸気口が設けられ、各吸気口の直下流に前記吸音体が個々に設けられている、請求項２の簡易設置型消音装置。
【請求項４】
各吸気口の直下流に設けられている前記吸音体（上流側吸音体）の下流側斜め後方に、前記吸音体（上流側吸音体）と同じ構造の吸音体（下流側吸音体）が前記吸音体（上流側吸音体）と互いに平行に設けられている、請求項３の簡易設置型消音装置。
【請求項５】
前記下流側吸音体は、互いに隣接する二つの前記上流側吸音体から等距離に設置されている、請求項４の簡易設置型消音装置。
【請求項６】
前記下流側吸音体の前記側壁の径寸法は、前記上流側吸音体の前記側壁の径寸法よりも大きい、請求項５の簡易設置型消音装置。
【請求項７】
簡易設置型脱臭装置と、簡易設置型消音装置と、当該簡易設置型脱臭装置の排気口と当該簡易設置型消音装置の吸気口とを接続するダクトと、を有する簡易設置型脱臭システムであって、
前記簡易設置型脱臭装置は、
吸気口と排気口とを有する筐体内に電動ファンと消臭フィルタとを備え、当該電動ファンにより当該筐体内に空気を吸い込み当該消臭フィルタを通過させて排気する装置であり、
前記簡易設置型消音装置は、
吸気口と排気口とを有する筐体と、当該筐体の内面を覆う吸音材と、当該吸気口から当該筐体内に流入する空気をその外周面に衝突させるべく当該吸気口の直下流に設けられた円柱状の吸音体と、当該排気口に設けられた消臭フィルタと、を有し、
前記吸音体は、
パンチングメタル又は金網からなる円筒状の側壁と、
当該側壁の内面を覆う吸音材と、
当該側壁の上下両端を閉塞する金属製の端板と、を有する、簡易設置型消音システム。
【請求項８】
前記簡易設置型脱臭装置の筐体と前記簡易設置型消音装置の筐体は、互いに略同寸の略立方体形状の筐体である、請求項７の簡易設置型消音システム。
【請求項９】
前記簡易設置型脱臭装置と前記簡易設置型消音装置とを、下記Ａ〜Ｃのいずれの態様でも設置可能である、請求項８の簡易設置型消音システム。
Ａ：互いに上下に積み重ねて設置する設置態様
Ｂ：互いに水平方向に並べて設置する設置態様
Ｃ：互いに上下に積み重ねて設置するとともに互いに水平方向に並べて設置する設置態様
【発明の詳細な説明】
【技術分野】
【０００１】
本発明は、電動ファンを内蔵した強制吸気式脱臭装置の排気ダクトに接続される簡易設置型消音装置とこれを備えた簡易設置型脱臭システムに関する。
【背景技術】
【０００２】
オフィスビルやマンションなど集合住宅においては、廊下や部屋の塗装、タイルの貼り替えなど、部分的な改修工事が行われることがある。この種の改修工事を行った場合、施工後もしばらくの間は、使用した塗料や接着剤などの揮発による臭気が発生するため、施工場所に強制吸気式脱臭装置を設置して脱臭を行うことが望ましい。
【０００３】
しかし、強制吸気式脱臭装置は、電動ファンで施工場所の空気を吸引しつつ、その空気中の臭い成分をフィルタに吸着させて脱臭を行う装置であるため、異臭を減弱できる反面、これが騒音発生源となり、音による不快感を居住者に与えてしまうことになる。
【０００４】
下記の特許文献１〜８には、本発明と関連すると思われる騒音対策関連の先行技術が記載されている。
【特許文献１】特開平１１−１１７７６１号公報（消音ダクト）
【特許文献２】特開平９−４９６５６号公報（消音装置）
【特許文献３】特開２０００−２３５３０４号公報（吸音機構）
【特許文献４】特開２００３−１２０５３０号公報（パージガス用消音装置）
【特許文献５】特開２００８−９５９１５号公報（防塵型消音装置）
【特許文献６】特開２００４−８５６４１号公報（吸音装置付送風装置）
【特許文献７】実開平６−２０９９０号公報（サイレンサー）
【特許文献８】実登第３０５４３８３号公報（自動車用集塵、脱臭フィルター）
【発明の開示】
【発明が解決しようとする課題】
【０００５】
本願発明が解決しようとする課題は、強制吸気式脱臭装置の排気ダクトに接続することにより当該強制吸気式脱臭装置からの音を大幅に減少させることができる簡易設置型消音装置とこれを備えた簡易設置型脱臭システムを提供することにある。
【課題を解決するための手段】
【０００６】
［簡易設置型消音装置］
上記課題を解決するために、本発明の簡易設置型消音装置は、電動ファンにより空気を吸い込み消臭フィルタを通過させて排気する簡易設置型脱臭装置の排気口に接続される簡易設置型消音装置であって、
吸気口と排気口とを有する筐体と、
当該筐体の内面を覆う吸音材と、
前記簡易設置型脱臭装置から排気され当該吸気口から当該筐体内に流入する空気をその外周面に衝突させるべく当該吸気口の直下流に設けられた円柱状の吸音体と、
当該排気口に設けられた消臭フィルタと、を有し、
前記吸音体は、
パンチングメタル又は金網からなる円筒状の側壁と、
当該側壁の内面を覆う吸音材と、
当該側壁の上下両端を閉塞する金属製の端板と、を有する。
【０００７】
上記のように構成された簡易設置型消音装置は、簡易設置型脱臭装置から排気された空気が吸気口から簡易設置型消音装置の筐体内に流入し排気口から筐体外に流出する過程で、簡易設置型脱臭装置から主に吸気流と共に伝播する騒音を、吸気口の直下流に設けられている吸音体と筐体の内面を覆う吸音材の作用により減弱させる。吸気口の直下流に円柱状の吸音体が設けられていることにより、空気の流れに対しては障害となるが、空気の流れと共に伝播してくる騒音が先ず吸音体によって吸収される。その際、吸音体に衝突した音は、吸音体の側壁を通って吸音体内に入る。そして、先ず、吸音体の側壁の上流側部分の内面を覆っている吸音材に一部吸収される。この吸音材を透過して吸音体内に入った騒音の一部は、吸音体の側壁の下流側部分の内面を覆っている吸音材で吸収されるか、あるいは吸音体の側壁の上下両端を閉塞している金属製の端板で反射された後、再度、吸音体の側壁の内面を覆っている吸音材で吸収される。このように、吸音体内で音の吸収と反射が繰り返されることにより、簡易設置型脱臭装置から空気の流れと共に伝播してきた騒音が極めて高い効率で吸収される。そして、吸音体で吸収されなかった騒音の一部は、筐体の内面を覆っている吸音材によって吸収される。この簡易設置型消音装置は、排気口に消臭フィルタが設けられているため、脱臭装置としても機能する。
【０００８】
本発明の簡易設置型消音装置において、前記簡易設置型脱臭装置の筐体と前記簡易設置型消音装置の筐体は、互いに略同寸の略立方体形状の筐体であることが望ましい。簡易設置型脱臭装置の筐体と簡易設置型消音装置の筐体が、互いに略同寸の略立方体形状の筐体であることにより、簡易設置型脱臭装置と簡易設置型消音装置とを、互いに上下に積み重ねて設置する、互いに水平方向に並べて設置する、互いに上下に積み重ねて設置するとともに互いに水平方向に並べて設置する、といった様々なレイアウトで設置することができる（図１〜図６参照）。
【０００９】
本発明の簡易設置型消音装置において、前記筐体に吸気口が複数設けられていてもよい。この場合、前記筐体の同一側面に複数の吸気口が設けられ、各吸気口の直下流に前記吸音体が個々に設けられていることが望ましい。そして、各吸気口の直下流に設けられている前記吸音体（上流側吸音体）の下流側斜め後方に、前記吸音体（上流側吸音体）と同じ構造の吸音体（下流側吸音体）が前記吸音体（上流側吸音体）と互いに平行に設けられていることが望ましい。そして、前記下流側吸音体は、互いに隣接する二つの前記上流側吸音体から等距離に設置されていることが望ましい。そして、前記下流側吸音体の前記側壁の径寸法は、前記上流側吸音体の前記側壁の径寸法よりも大きいことが望ましい。
【００１０】
各吸気口の直下流に設けられている上流側吸音体の下流側斜め後方に、上流側吸音体と同じ構造の下流側吸音体が上流側吸音体と互いに平行に設けられていることにより、空気の流れに対しては障害となるが、上流側吸音体で吸収しきれなかった騒音の一部を、下流側吸音体で吸収することができる。下流側吸音体においても、吸音体内で音の吸収と反射が繰り返されることにより、極めて高い効率で音が吸収される。そして、上流側と下流側の吸音体で吸収されなかった騒音の一部は、筐体の内面を覆っている吸音材によって吸収される。
【００１１】
［簡易設置型消音システム］
上記課題を解決するために、本発明の簡易設置型消音システムは、簡易設置型脱臭装置と、簡易設置型消音装置と、当該簡易設置型脱臭装置の排気口と当該簡易設置型消音装置の吸気口とを接続するダクトと、を有する簡易設置型脱臭システムであって、
前記簡易設置型脱臭装置は、
吸気口と排気口とを有する筐体内に電動ファンと消臭フィルタとを備え、当該電動ファンにより当該筐体内に空気を吸い込み当該消臭フィルタを通過させて排気する装置であり、
前記簡易設置型消音装置は、
吸気口と排気口とを有する筐体と、当該筐体の内面を覆う吸音材と、当該吸気口から当該筐体内に流入する空気をその外周面に衝突させるべく当該吸気口の直下流に設けられた円柱状の吸音体と、当該排気口に設けられた消臭フィルタと、を有し、
前記吸音体は、
パンチングメタル又は金網からなる円筒状の側壁と、
当該側壁の内面を覆う吸音材と、
当該側壁の上下両端を閉塞する金属製の端板と、を有する。
【００１２】
本発明の簡易設置型脱臭システムにおいて、前記簡易設置型脱臭装置の筐体と前記簡易設置型消音装置の筐体は、互いに略同寸の略立方体形状の筐体であることが望ましい。そして、前記簡易設置型脱臭装置と前記簡易設置型消音装置とを、使用条件に応じて、下記Ａ〜Ｃのいずれの態様でも設置可能であることが望ましい（図１〜図６参照）。
Ａ：互いに上下に積み重ねて設置する設置態様
Ｂ：互いに水平方向に並べて設置する設置態様
Ｃ：互いに上下に積み重ねて設置するとともに互いに水平方向に並べて設置する設置態様
【００１３】
本発明の簡易設置型消音システムにおいて、前記簡易設置型消音装置の筐体に吸気口が複数設けられていてもよい。この場合、当該筐体の同一側面に複数の吸気口が設けられ、各吸気口の直下流に前記吸音体が個々に設けられていることが望ましい。そして、各吸気口の直下流に設けられている前記吸音体（上流側吸音体）の下流側斜め後方に、前記吸音体（上流側吸音体）と同じ構造の吸音体（下流側吸音体）が前記吸音体（上流側吸音体）と互いに平行に設けられていることが望ましい。そして、前記下流側吸音体は、互いに隣接する二つの前記上流側吸音体から等距離に設置されていることが望ましい。そして、前記下流側吸音体の前記側壁の径寸法は、前記上流側吸音体の前記側壁の径寸法よりも大きいことが望ましい。
【発明の効果】
【００１４】
本発明の簡易設置型消音装置によれば、これを強制吸気式脱臭装置の排気ダクトに接続することにより当該強制吸気式脱臭装置から発せられた騒音を大幅に減少させることができる。
本発明の簡易設置型脱臭システムは、本発明の簡易設置型消音装置を備えているので、これをオフィスビルやマンションなどの改修工事後における異臭発生場所に設置することにより、電動ファンの騒音による不快感を居住者に与えることなく異臭発生場所の異臭を減弱できる。
【発明を実施するための最良の形態】
【００１５】
本発明を実施するための最良の形態について、図面を参照しつつ説明する。
図１〜図６は、本発明の簡易設置型脱臭システムの実施形態を例示する斜視図である。
この簡易設置型消音システム１は、２台の簡易設置型脱臭装置１０と、１台の簡易設置型消音装置２０と、各簡易設置型脱臭装置１０の排気口１１ｂと簡易設置型消音装置２０の吸気口２１ａ、２１ｂとを各々接続する２本のダクト４０と、を有している。
【００１６】
図７は、簡易設置型脱臭装置１０の側面図である。簡易設置型脱臭装置１０は、吸気口１１ａと排気口１１ｂとを有する略立方体形状の筐体１１内に、破線で示す電動ファン１２と消臭フィルタ１３とを備えている。吸気口１１ａと排気口１１ｂは、筐体１１の互いに対応する側壁（前後の側壁）に設けられている。簡易設置型脱臭装置１０は、電動ファン１２の吸引力により、吸気口１１ａから筐体１１内に空気を吸い込み、消臭フィルタ１３を通過させて排気口１１ｂから排気する。排気口１１ｂから排出された空気は、ダクト４０内を通って簡易設置型消音装置２０の吸気口２１ａ、２１ｂに送られる。消臭フィルタ１３は、通気性を有するフィルタ基材にイオン吸着材と光触媒とを担持させたものであり、異臭成分のみならずアセトアルデヒドやホルムアルデヒドなどあらゆる有害ガスを吸着分解する機能を有している。消臭フィルタ１３として、たとえば有限会社メルテック製のフィルタ（商品名：ラングフィルター）が使用される。簡易設置型脱臭装置１０の前面部には、電動ファン１２をオン（駆動）／オフ（停止）するためのスイッチ１４と、筐体１１の内と外との気圧差を表示する差圧計１５と、ヒューズホルダ１６と、が設けられている（図１参照）。
【００１７】
図８〜図１３に、簡易設置型消音装置２０の構造の詳細を示す。図８は正面図、図９は左側面図、図１０は右側面図、図１１は背面図、図１２は平面図、図１３は横断面図である。
【００１８】
簡易設置型消音装置２０は、二つの吸気口２１ａ、２１ｂと二つの排気口２１ｃ、２１ｄとを有する略立方体形状の筐体２１と、筐体２１の内面を覆う吸音材２２と、各吸気口２１ａ、２１ｂの直下流に個々に設けられた二つの上流側吸音体２３Ａ、２３Ｂと、上流側吸音体２３Ａ、２３Ｂの下流側斜め後方に設けられた下流側吸音体２４と、各排気口２１ｃ、２１ｄに設けられた消臭フィルタ２５と、を有する。
【００１９】
吸気口２１ａ、２１ｂは、筐体２１の正面の左右に上下に位置を異ならせて設けられている。この例では、一方の吸気口２１ａは筐体２１の正面左上隅寄りの位置に、もう一方の吸気口２１ｂは筐体２１の正面右下隅寄りの位置に、それぞれ設けられている。各吸気口２１ａ、２１ｂには、キャップ状の蓋２６が各々着脱自在に取り付けられている。蓋２６は筐体２１にチェーン２７で連結されている。
【００２０】
排気口２１ｃ、２１ｄは、筐体２１の左右の側壁２１Ａ、２１Ｂに各々設けられている。そして、各排気口２１ｃ、２１ｄに消臭フィルタ２５がそれぞれ交換可能に装着されている。各排気口２１ｃ、２１ｄには、その大部分が金網２８ａで構成された通気構造の扉２８が設けられている。各扉２８の左右いずれか一方の端部はヒンジ２８Ｂを介して筐体２１の側壁２１Ａ、２１Ｂに連結されており、各扉２８を開くことにより、各排気口２１ｃ、２１ｄに装着されている消臭フィルタ２５を交換できるようになっている。各扉２８の他端には、ビス孔が設けられており、各ビス孔にビス螺子２８Ｃを挿通して筐体２１の側壁２１Ａ、２１Ｂに設けられた螺子孔に螺合させ締め付けることにより、各扉２８が閉状態に固定される。
【００２１】
吸音材２２は、筐体２１の開口部を除く内面全面に内張されている。吸音材２２は、合成樹脂発泡体、グラスウール、樹脂綿、不織布の何れかまたはこれらの混合物からなる。
【００２２】
上流側吸音体２３Ａ、２３Ｂと下流側吸音体２４は、略円柱形状の同一構造の吸音体である。上流側吸音体２３Ａ、２３Ｂは、吸気口２１ａ、２１ｂから筐体２１内に流入する空気をその外周面２３ａに衝突させるべく各吸気口２１ａ、２１ｂの直下流に設けられている。下流側吸音体２４は、上流側吸音体２３Ａ、２３Ｂの下流側斜め後方に設けられている。上流側吸音体２３Ａ、２３Ｂと下流側吸音体２４は、筐体２１の底板と天板とを連結するようにして、互いに平行に設けられている。下流側吸音体２４は、二つの上流側吸音体２３Ａ、２３Ｂから等距離に設置されている。また、この例では、下流側吸音体２４の側壁の径寸法は、上流側吸音体２３Ａ、２３Ｂの側壁の径寸法よりも大きく選定されている。
【００２３】
図１４は、上流側吸音体２３Ａ、２３Ｂと下流側吸音体２４の構造を例示する部分破断斜視図である。図示するように、上流側吸音体２３Ａ、２３Ｂ及び下流側吸音体２４は、パンチングメタルを円筒状に加工してなる側壁３１と、側壁３１の内面を覆う吸音材３２と、側壁３１の上下両端を閉塞する金属製の円形の端板３３ａ、３３ｂと、を有している。吸音材３２は、グラスウールからなる吸音層３２Ａと、その吸音層３２Ａを両側から挟むアルミニウム製の薄い網板３２Ｂからなり、側壁３１の内面全体を覆うように円筒状に丸めて設けられている。側壁３１と端板３３ａ、３３ｂは、溶接などの接合方法で互いに固定されている。
【００２４】
簡易設置型脱臭装置１０の筐体１１と簡易設置型消音装置２０の筐体２１は、互いに略同寸の略立方体形状の筐体である。
簡易設置型脱臭装置１０の下面四隅には、キャスタ１７が設けられている。簡易設置型消音装置２０の下面四隅にも、キャスタ１７が設けられている。簡易設置型脱臭装置１０の上面四隅には、簡易設置型脱臭装置１０または簡易設置型消音装置２０を相互に積み重ねて安定した状態で設置できるように、上側の装置１０または２０のキャスタ１７と係合するＬ字状のキャスタ受け１８が設けられている。簡易設置型消音装置２０の上面四隅には、その上に簡易設置型脱臭装置１０を積み重ねて安定した状態で設置できるように、キャスタ１７と嵌合する円弧状の溝を有するキャスタ受け２９が設けられている。
簡易設置型脱臭装置１０の上面左右二箇所には、樹脂製の取っ手１９が設けられている。簡易設置型消音装置２０には、その左右側面の上端近傍に、樹脂製の取っ手４１が設けられている。
【００２５】
ダクト４０は、ＰＥＴ（PolyethyleneTerephthalate）製の薄厚の透明のダクト（クリアダクト）である。一方のダクト４０の一端（上流側端部）は、一方の簡易設置型脱臭装置１０の排気口１１ｂの環状スリーブに接続され、他端（下流側端部）は、簡易設置型消音装置２０の一方の吸気口２１ａの環状スリーブに接続されている。他方のダクト４０の一端（上流側端部）は、他方の簡易設置型脱臭装置１０の排気口１１ｂの環状スリーブに接続され、他端（下流側端部）は、簡易設置型消音装置２０の他方の吸気口２１ｂの環状スリーブに接続されている。
【００２６】
上記のように構成された簡易設置型消音装置２０は、簡易設置型脱臭装置１０から排気された空気が吸気口２１ａ、２１ｂから簡易設置型消音装置２０の筐体２１内に流入し排気口２１ｃ、２１ｄから筐体２１外に流出する過程で、簡易設置型脱臭装置１０から主に吸気流と共に伝播する騒音を、吸気口２１ａ、２１ｂの直下流に設けられている上流側吸音体２３Ａ、２３Ｂと筐体２１の内面を覆う吸音材２２の作用により減弱させる。吸気口２１ａ、２１ｂの直下流に円柱状の上流側吸音体２３Ａ、２３Ｂが設けられていることにより、空気の流れに対しては障害となるが、空気の流れと共に伝播してくる騒音が先ず上流側吸音体２３Ａ、２３Ｂによって吸収される。その際、上流側吸音体２３Ａ、２３Ｂに衝突した音は、上流側吸音体２３Ａ、２３Ｂの側壁２３ａを通って吸音体２３Ａ、２３Ｂ内に入る。そして、先ず、上流側吸音体２３Ａ、２３Ｂの側壁２３ａの上流側部分の内面を覆っている吸音材３２に一部吸収される。この吸音材３２を透過して上流側吸音体２３Ａ、２３Ｂ内に入った騒音の一部は、上流側吸音体２３Ａ、２３Ｂの側壁２３ａの下流側部分の内面を覆っている吸音材３２で吸収されるか、あるいは上流側吸音体２３Ａ、２３Ｂの側壁２３ａの上下両端を閉塞している金属製の端板３３ａ、３３ｂで反射された後、再度、上流側吸音体２３Ａ、２３Ｂの側壁２３ａの内面を覆っている吸音材３２で吸収される。このように、上流側吸音体２３Ａ、２３Ｂ内で音の吸収と反射が繰り返されることにより、簡易設置型脱臭装置１０から空気の流れと共に伝播してきた騒音が極めて高い効率で吸収される。そして、上流側吸音体２３Ａ、２３Ｂで吸収されなかった騒音の一部は、上流側吸音体２３Ａ、２３Ｂの下流側斜め後方に設けられている下流側吸音体２４に吸収される。上流側吸音体２３Ａ、２３Ｂの下流側斜め後方に、下流側吸音体２４が上流側吸音体２３Ａ、２３Ｂと互いに平行に設けられていることにより、空気の流れに対しては障害となるが、上流側吸音体２３Ａ、２３Ｂで吸収しきれなかった騒音の一部を、下流側吸音体２４で吸収することができる。下流側吸音体２４においても、吸音体２４内で音の吸収と反射が繰り返されることにより、極めて高い効率で音が吸収される。そして、上流側と下流側の吸音体２３Ａ、２３Ｂ、２４で吸収されなかった騒音の一部は、筐体２１の内面を覆っている吸音材２２によって吸収される。この簡易設置型消音装置２０は、排気口２１ｃ、２１ｄに消臭フィルタ２５が設けられているため、脱臭装置としても機能する。
【００２７】
また、簡易設置型脱臭装置１０の筐体１１と簡易設置型消音装置２０の筐体２１が、互いに略同寸の略立方体形状の筐体であることにより、簡易設置型脱臭装置１０と簡易設置型消音装置２０とを、互いに上下に積み重ねて設置する（図２、図４、図５、図６）、互いに水平方向に並べて設置する（図１）、互いに上下に積み重ねて設置するとともに互いに水平方向に並べて設置する（図３）、といった様々なレイアウト、組み合わせ態様で設置することができる。簡易設置型脱臭装置１０の上面四隅と簡易設置型消音装置２０の上面四隅にキャスタ受け１８、２９がそれぞれ設けられているので、どのようなレイアウト、組み合わせ態様でも安定した状態で設置することができる。
【００２８】
なお、上記の例では、吸気口を二つ有する簡易設置型消音装置２０を示したが、本発明の簡易設置型消音装置は、吸気口を少なくとも一つ有していればよい。吸気口が一つの場合、その吸気口の直下流に吸音体が一つ設けられていればよいが、更にその下流（直下流又は斜め後方）に一つ又は複数の吸音体を設けることにより、吸音性能をより高めることができる。また、吸気口を三つ以上有するものも本発明の簡易設置型消音装置に含まれる。
【００２９】
また、上記の例では、ダクト４０として、ＰＥＴ製の透明のダクトを用いているが、ダクト４０の種類はこれに限るものではない。
【図面の簡単な説明】
【００３０】
【図１】本発明の簡易設置型脱臭システムの実施形態を例示する斜視図
【図２】本発明の簡易設置型脱臭システムの実施形態を例示する斜視図
【図３】本発明の簡易設置型脱臭システムの実施形態を例示する斜視図
【図４】本発明の簡易設置型脱臭システムの実施形態を例示する斜視図
【図５】本発明の簡易設置型脱臭システムの実施形態を例示する斜視図
【図６】本発明の簡易設置型脱臭システムの実施形態を例示する斜視図
【図７】本発明の簡易設置型脱臭システムの構成要素である簡易設置型脱臭装置の実施形態を例示する側面図
【図８】本発明の簡易設置型消音装置の実施形態を例示する正面図
【図９】本発明の簡易設置型消音装置の実施形態を例示する左側面図
【図１０】本発明の簡易設置型消音装置の実施形態を例示する右側面図
【図１１】本発明の簡易設置型消音装置の実施形態を例示する背面図
【図１２】本発明の簡易設置型消音装置の実施形態を例示する平面図
【図１３】本発明の簡易設置型消音装置の実施形態を例示する横断面図
【図１４】本発明の簡易設置型消音装置の構成要素である吸音体の実施形態を例示する部分破断斜視図
【符号の説明】
【００３１】
１  簡易設置型消音システム
１０  簡易設置型脱臭装置
１１  筐体
１１ｂ  排気口
１２  電動ファン
１３  消臭フィルタ
２０  簡易設置型消音装置
２１  筐体
２１ａ、２１ｂ  吸気口
２１ｃ、２１ｄ  排気口
２２  吸音材
２３Ａ、２３Ｂ  上流側吸音体
２４  下流側吸音体
２５  消臭フィルタ
３１  側壁
３２  吸音材
３２Ａ  吸音層
３２Ｂ  網板
３３ａ、３３ｂ  端板
４０  ダクト
【図１】
2010022635.tif 000003
【図２】
2010022635.tif 000004
【図３】
2010022635.tif 000005
【図４】
2010022635.tif 000006
【図５】
2010022635.tif 000007
【図６】
2010022635.tif 000008
【図７】
2010022635.tif 000009
【図８】
2010022635.tif 000010
【図９】
2010022635.tif 000011
【図１０】
2010022635.tif 000012
【図１１】
2010022635.tif 000013
【図１２】
2010022635.tif 000014
【図１３】
2010022635.tif 000015
【図１４】
2010022635.tif 000016